【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
第一の図柄変動表示を少なくとも表示可能な第一の図柄表示手段と、
第一の先読み予告を少なくとも実行可能な先読み予告手段と、
前記第一の図柄表示手段を少なくとも制御可能な制御手段と、
を備えた遊技台であって、
前記制御手段は、第一の条件の成立があった場合に、前記第一の図柄変動表示の開始を保留する制御を少なくとも実行可能なものであり、
前記第一の条件は、第一の期間において、成立する場合がある条件であり、
前記先読み予告手段は、第二の期間において、前記第一の先読み予告を少なくとも実行可能なものであり、
前記先読み予告手段は、第三の期間において、前記第一の先読み予告を実行しないものであり、
前記第一の図柄表示手段は、第四の期間において、前記第一の図柄変動表示の表示を少なくとも開始可能なものであり、
前記第一の先読み予告とは、前記第一の図柄変動表示に関する先読み予告のことであり、
前記第一の期間は、前記第二の期間よりも前の期間であり、
前記第二の期間は、前記第三の期間よりも前の期間であり、
前記第三の期間は、前記第四の期間よりも前の期間である、
ことを特徴とする遊技台。
【請求項２】
請求項１に記載の遊技台であって、
第二の図柄変動表示を少なくとも表示可能な第二の図柄表示手段を備え、
前記第二の図柄変動表示は、前記第一の図柄変動表示よりも優先して表示が開始されるものである、
ことを特徴とする遊技台。
【請求項３】
請求項１または２に記載の遊技台であって、
前記第一の先読み予告とは、前記第一の図柄変動表示で大当りとなる場合にのみ実行される先読み予告のことである、
ことを特徴とする遊技台。
【請求項４】
請求項１乃至３のいずれか一項に記載の遊技台であって、
前記遊技台は、ぱちんこ機である、
ことを特徴とする遊技台。
【手続補正２】
【補正対象書類名】明細書
【補正対象項目名】０００６
【補正方法】変更
【補正の内容】
【０００６】
上記目的は、
第一の図柄変動表示を少なくとも表示可能な第一の図柄表示手段と、
第一の先読み予告を少なくとも実行可能な先読み予告手段と、
前記第一の図柄表示手段を少なくとも制御可能な制御手段と、
を備えた遊技台であって、
前記制御手段は、第一の条件の成立があった場合に、前記第一の図柄変動表示の開始を保留する制御を少なくとも実行可能なものであり、
前記第一の条件は、第一の期間において、成立する場合がある条件であり、
前記先読み予告手段は、第二の期間において、前記第一の先読み予告を少なくとも実行可能なものであり、
前記先読み予告手段は、第三の期間において、前記第一の先読み予告を実行しないものであり、
前記第一の図柄表示手段は、第四の期間において、前記第一の図柄変動表示の表示を少なくとも開始可能なものであり、
前記第一の先読み予告とは、前記第一の図柄変動表示に関する先読み予告のことであり、
前記第一の期間は、前記第二の期間よりも前の期間であり、
前記第二の期間は、前記第三の期間よりも前の期間であり、
前記第三の期間は、前記第四の期間よりも前の期間である、
ことを特徴とする遊技台
によって達成される。
【手続補正３】
【補正対象書類名】明細書
【補正対象項目名】０３６０
【補正方法】変更
【補正の内容】
【０３６０】
本発明は、遊技台としてパチンコ機およびスロットマシンを例にあげたが、これに限るものではなく、アレンジボール遊技機や、じゃん球遊技機、スマートボール等に適用してもよい。
上記実施の形態の遊技台は、例えば以下のように表現される。
（付記１）
遊技球が始動領域に進入した場合に、始動情報を導出する始動情報導出手段と、
前記導出した始動情報を所定の上限数まで記憶可能な始動情報記憶手段と、
前記始動情報記憶手段から始動情報を取得する始動情報取得手段と、
前記取得した始動情報に基づいて当否判定を行う当否判定手段と、
前記当否判定の結果が特定の当否判定結果である場合に、遊技者に対する有利度が第１の有利度である第１の制御状態から該第１の有利度と有利度が異なる第２の有利度である第２の制御状態に制御状態を移行させる制御状態移行手段と、
図柄を変動表示させた後、前記当否判定の結果に対応した図柄態様を停止表示する図柄変動停止表示を行う図柄表示手段と、
前記当否判定手段が当否判定を行うよりも前に、前記始動情報記憶手段に記憶されている始動情報を先読みする始動情報先読手段と、
前記始動情報記憶手段に記憶されている所定の始動情報に基づく当否判定が前記当否判定手段によって行なわれるよりも前に、前記始動情報先読手段によって先読みされた該所定の始動情報に基づいて該当否判定手段が前記特定の当否判定結果を導出するかどうかを事前判定する事前判定手段と、
前記事前判定の結果に基づいて、前記当否判定手段が前記特定の当否判定結果を導出することを事前予告するための事前予告報知を、前記当否判定手段が当否判定を行うよりも前に行う事前予告手段と、
を備えた遊技台であって、
第１の期間、前記第１の期間より後の第２の期間、および前記第２の期間より後の第３の期間について、前記第３の期間に対応する始動情報が前記第１の期間以前に取得されている場合に、
前記第３の期間に対応する始動情報の事前判定結果に基づく事前予告報知は、前記第１の期間または前記第２の期間のいずれか一方でのみ許可され、他方では禁止されること
を特徴とする遊技台。
（付記２）
付記１記載の遊技台において、
前記事前予告報知は、前記第２の期間でのみ許可され、前記第１の期間では禁止されること
を特徴とする遊技台。
（付記３）
付記１または２に記載の遊技台において、
一または複数の時間情報を含む時間情報テーブルと、
複数種類の時間情報テーブルを記憶した時間情報テーブル記憶手段と、
前記時間情報テーブル記憶手段から所定の時間情報テーブルを取得する時間情報テーブル取得手段と、
前記取得した時間情報テーブルおよび前記当否判定の結果に基づいて、前記図柄表示手段での図柄の変動表示時間を決定する変動時間決定手段と、をさらに備え、
前記事前予告報知は、前記変動時間決定手段が、所定の変動において前記取得した時間情報テーブルおよび前記当否判定の結果に基づいて、特定の変動時間を導出することに基づいて行われること
を特徴とする遊技台。
（付記４）
付記１乃至３のいずれか１項に記載の遊技台において、
前記第１の期間または前記第２の期間のうち前記事前予告報知が許可される期間は、１つの始動情報に対応する１つの変動時間からなること
を特徴とする遊技台。
（付記５）
付記１乃至４のいずれか１項に記載の遊技台において、
前記第３の期間は、複数の始動情報に対応する複数の変動期間からなり、
前記事前予告報知は、前記複数の始動情報の事前判定結果に基づいて行われること
を特徴とする遊技台。
（付記６）
付記１乃至４のいずれか１項に記載の遊技台において、
複数の始動情報の事前判定結果のそれぞれを個別に報知する第１の事前報知と、複数の始動情報の事前判定結果を一括して報知する第２の事前報知との双方が前記事前予告報知として可能であり、
前記第３の期間は、特定の複数の始動情報に対応する複数の変動期間からなり、
前記特定の複数の始動情報の事前判定結果に基づく事前予告報知は、前記第１の事前報知または前記第２の事前報知のいずれか一方のみが行われること
を特徴とする遊技台。